(57)【特許請求の範囲】
【請求項１】
扉１に固着されるハウジング２に操作ハンドル３の全体または主体部分を出没可能に収納し、操作ハンドル３の基端部を施錠主軸４の前端部に枢着し、操作ハンドル３に組み込んだ錠前ユニット５のロータ６にハウジング２側の受金部材７に係脱する止め金部材８を接続し、ロータ６の鍵孔９に挿入した鍵１０の回転操作によってハウジング２に対する操作ハンドル３の引出し拘束を解除し、ハウジング２から引出し回転させた操作ハンドル３で施錠主軸４を回転駆動することによって、固定枠体１１に対する扉１の錠止を解除するようにした引出し回転操作型扉用ロックハンドル装置において、
受金部材７に止め金部材８が係脱する掛止め部１３を形成し、ハウジング２に装着したソレノイド１２のプランジャー１４に受金部材１３を連結し、止め金部材８と係合する位置に受金部材１３を付勢保持し、前記ソレノイド１２への通電または前記鍵１０の挿入回転によって止め金部材８と受金部材７との係合を解除するとともに、ハウジング２に検知スイッチ１５を固着し、止め金部材８が受金部材７から離脱する位置に来たとき検知スイッチ１５を作動させる仲介部材１６を、検知スイッチ１５と止め金部材８の間に挿入し、ハウジング２に固着され、操作ハンドル３の収容空間の背面側に配置されている内側ケース２７に受金部材７を摺動可能に収容し、内側ケース２７の受金部材７と向き合う背面板部２８に検知スイッチ１５を固着し、背面板部２８と受金部材７の間に仲介部材１６を摺動可能に収容し、仲介部材１６の前面側に連動突起３１を形成し、受金部材７の背面側に牽引突起３２を形成し、解錠信号によりプランジャー１４をソレノイド本体側に吸引したとき、仲介部材１６が受金部材７により牽引される位置関係に牽引突起３２と連動突起３１を配置し、重力による付勢または検知スイッチ１５の内蔵バネによる付勢によって、連動突起３１が受金部材７の牽引突起３２に係合する位置まで仲介部材１６を検知スイッチ１５から離反させて、検知スイッチ１５を作動させるようにしたことを特徴とする引出し回転操作型扉用ロックハンドル装置。
【請求項２】
ハウジング２に操作ハンドル３を押し込み操作するとき、受金部材８が退避位置に移動させるカム面部１７を受金部材７または止め金部材８に形成し、操作ハンドル３の背面側に内部において屈曲した受孔３８を形成し、内側ケース２７の前面下部に折り曲げ指状の係止突起３９を形成し、操作ハンドル３をハウジング２に収容したとき、前記受孔３８に係止突起３９を弾性係合させることを特徴とする請求項１に記載の引出し回転操作型扉用ロックハン
ドル装置。
【発明の詳細な説明】
【０００１】
【発明の属する技術分野】
本発明は、各種機器類を格納するボックス本体などの固定枠体に対して扉を錠止する引出し回転操作型の扉用ロックハンドル装置に関する。
【０００２】
【従来の技術】
例えば特許第２９６９１１８号公報に記載されたように従来の引出し回転操作型扉用ロックハンドル装置では、扉に固着されるハウジングに操作ハンドルの全体または主体部分を出没可能に収納し、操作ハンドルの基端部を施錠主軸の前端部に枢着し、操作ハンドルに組み込んだ錠前ユニットのロータにハウジング側の掛止め部に係脱する止め金部材を接続し、前記ロータの鍵孔に挿入した鍵の回転操作によってハウジングに対する操作ハンドルの錠止を解除し、ハウジングから引出し回転させた操作ハンドルで施錠主軸を回転駆動することによって、固定枠体に対する扉の錠止を解除するようになっている。
【０００３】
このような引出し回転操作型扉用ロックハンドル装置では、機器ボックスの管理者が機器ボックスの設置場所に赴いて鍵を錠前ユニットに挿入しなければ、ハウジングに対する操作ハンドルの引出し拘束を解除することができない。
そのため、機器ボックスの正当管理者の駐在場所と機器ボックスの設置場所とが離れている場合には、管理者は機器ボックスへの往復移動に過分の時間を浪費することになる。
【０００４】
【発明が解決しようとする課題】
したがって本発明の目的は、通常時には機器ボックスの管理者が遠隔からソレノイドに解錠信号を送ることによって操作ハンドルの引出し拘束を解除できる一方、ソレノイド自体やソレノイドの電気系統に故障が発生した非常時においては、錠前ユニットの解錠操作によって操作ハンドルの引出し拘束を解除でき、かつ、その解除の事実を的確に検知できる引出し回転操作型扉用ロックハンドル装置を提供することである。
本発明の別の目的は、機器ボックスの作業担当者が操作ハンドルを押し込み操作することによって操作ハンドルが自動的に引出し不能に再拘束されるようにした引出し回転操作型扉用ロックハンドル装置を提供することである。
【０００５】
【課題を解決するための手段】
請求項１の発明の要旨は、扉１に固着されるハウジング２に操作ハンドル３の全体または主体部分を出没可能に収納し、操作ハンドル３の基端部を施錠主軸４の前端部に枢着し、操作ハンドル３に組み込んだ錠前ユニット５のロータ６にハウジング２側の受金部材７に係脱する止め金部材８を接続し、ロータ６の鍵孔９に挿入した鍵１０の回転操作によってハウジング２に対する操作ハンドル３の引出し拘束を解除し、ハウジング２から引出し回転させた操作ハンドル３で施錠主軸４を回転駆動することによって、固定枠体１１に対する扉１の錠止を解除するようにした引出し回転操作型扉用ロックハンドル装置において、
ハウジング２に摺動可能に収容した受金部材７に止め金部材８が係脱する掛止め部１３を形成し、ハウジング２に装着したソレノイド１２のプランジャー１４に受金部材１３を連結し、止め金部材８と係合する位置に受金部材１３を付勢保持し、前記ソレノイド１２への通電または前記鍵１０の挿入回転によって止め金部材８と受金部材７との係合を解除するとともに、ハウジング２に検知スイッチ１５を固着し、止め金部材８が受金部材７から離脱する位置に来たとき検知スイッチ１５を作動させる仲介部材１６を、検知スイッチ１５と止め金部材８の間に挿入し、ハウジング２に固着され、操作ハンドル３の収容空間の背面側に配置されている内側ケース２７に受金部材７を摺動可能に収容し、内側ケース２７の受金部材７と向き合う背面板部２８に検知スイッチ１５を固着し、背面板部２８と受金部材７の間に仲介部材１６を摺動可能に収容し、仲介部材１６の前面側に連動突起３１を形成し、受金部材７の背面側に牽引突起３２を形成し、解錠信号によりプランジャー１４をソレノイド本体側に吸引したとき、仲介部材１６が受金部材７により牽引される位置関係に牽引突起３２と連動突起３１を配置し、重力による付勢または検知スイッチ１５の内蔵バネによる付勢によって、連動突起３１が受金部材７の牽引突起３２に係合する位置まで仲介部材１６を検知スイッチ１５から離反させて、検知スイッチ１５を作動させるようにしたことである。
【０００６】
請求項２の発明の引出し回転操作型扉用ロックハンドル装置は、請求項１の発明の前記構成に加えて、ハウジング２に操作ハンドル３を押し込み操作するとき、受金部材８が退避位置に移動させるカム面部１７を受金部材７または止め金部材８に形成し、操作ハンドル３の背面側に内部において屈曲した受孔３８を形成し、内側ケース２７の前面下部に折り曲げ指状の係止突起３９を形成し、操作ハンドル３をハウジング２に収容したとき、前記受孔３８に係止突起３９を弾性係合させるものである。
【０００７】
【発明の作用】
図１及び図２に示したように扉１が閉鎖され、施錠主軸４に接続されたロック部材１７によって扉１が機器ボックス本体などの固定枠体１１に対して開扉不能に錠止されているときには、操作ハンドル３はハウジング２内にその主体部分が収納されており、錠前ユニット５の止め金部材８が受金部材７の掛止め部１３に係合することによって、操作ハンドル３はハウジング２に対して引出し不能に拘束されている。
機器ボックスに格納した機器の操作や点検修理のために作業者を機器ボックスに派遣するとき、機器ボックスの管理者は機器ボックスの設置場所から離隔した駐在場所において、制御パネルのスイッチをオン操作し、ソレノイド１２に解錠信号としての所定電流を供給する。このソレノイド１２の励磁によってプランジャー１４がソレノイド本体側に吸引されるため、受金部材１３が引き戻し摺動させられ、図４に示したように掛止め部７と止め金部材８との係合が解除される。
【０００８】
このとき、錠前ユニット５に対しては何らの操作もなされないから、止め金部材８は当初位置に突出したままである。現場に派遣された作業者が操作ハンドル３をハウジング２から引出すとき、前記止め金部材８はハウジング２の内壁部に当たることなく、ハウジング２の外部空間に移動する。操作ハンドル３の引出し回転の終了後、ソレノイド１２への通電が遮断され、受金部材１３はソレノイド１２のプランジャー１４の付勢用バネ４１の付勢によって、錠前ユニット５側に接近した元の位置に復帰する。
【０００９】
図６に示したようにハウジング２より引出し回転させた操作ハンドル３を握って施錠主軸４を回転駆動すると、施錠主軸４に接続してあるロック部材１７が固定枠体１１側の受金部１８から離脱し、固定枠体１１に対する扉１の錠止が解除される。そのため、操作ハンドル３を手前に引くことによって扉１は開放操作される。
【００１０】
作業者が機器の点検修理などの終了後、操作ハンドル３をハウジング２内に押し戻すとき、止め金部材８の先端部が受金部材７のカム面部１６を押すため、受金部材８は前記バネ４１の付勢に抗して、ソレノイド本体側に一旦摺動し、止め金部材８の通過を許容する。止め金部材８の先端部が前記掛止め部１３の位置を通過したとき、受金部材７はバネ４１の付勢によって復帰摺動し、止め金部材８の先端部が受金部材７の掛止め部１３に再係合する。
【００１１】
ソレノイド１２に解錠信号を送っても操作ハンドル３の引出し拘束が解除されないときには、ソレノイド１２それ自体の故障かソレノイド１２への通電系統の故障である。このような非常時には、錠前ユニット５の鍵１０を使用して手動解錠する。
錠前ユニット５のロータ６の鍵孔９に鍵１０を挿入し、ロータ６を所定方向に回転させると、ロータ６に連動装備されている止め金部材８が錠前ユニット５側に引き戻され、図５に示したように止め金部材８が受金部材７の掛け止め部１３から離脱する。これによって操作ハンドル３はハウジング２から引出し可能になる。
【００１２】
上記のように止め金部材８が解錠位置に引き戻されたときには、重力による付勢または検知スイッチ１５の内蔵バネによる付勢によって、仲介部材１６が検知スイッチ１５から離反する方向に摺動する。この仲介部材１６の離反摺動によって検知スイッチ１５がオン操作されるため、検知スイッチ１５が挿入されている管理パネルの表示灯などの報知手段が作動して、手動解錠の事実が報知されたり、検知信号が記憶装置に入力され、手動解錠の実行時刻などが記録管理される。
【００１３】
ソレノイド１２自体やソレノイド１２への通電系統を点検修理したり、作業者が機器の点検修理などを終了した後、操作ハンドル３をハウジング２内に押し戻すとき、止め金部材８は錠前ユニット５側に引き戻された位置に保持されている。そのため、止め金部材８が受金部材７に干渉することなく、操作ハンドル３がハウジング２内に押し戻される。
【００１４】
操作ハンドル３をハウジング２に所定通り収容した後、鍵１０によって錠前ユニット５のロータ６を前記とは逆方向に回転させると、止め金部材８がソレノイド１２側に向かって突き出し摺動させられる。この止め金部材８の突き出し摺動によって仲介部材１６がソレノイド１２側に押し返され、検知スイッチ１５のアクチュエータ１５ａを再び押圧し、検知スイッチ１５をオフ操作する。
【００１５】
【発明の実施の形態】
図示した実施例では、施錠主軸４はハウジング２の背面側に形成した軸受筒部１９に前後方向に移動不能に嵌挿され、施錠主軸４の後端角軸部には略Ｌ字状板よりなるロック部材１７が相対回転不能に嵌められ、ボルト２０によって締付け固着されている。操作ハンドル３の基端部の背面側凹部２１には施錠主軸４の前端部が挿入され、扉１の前面と平行な横断枢軸２２によって操作ハンドル３が施錠主軸４に起伏回転可能に連結されている。
ハウジング２と施錠主軸４の間には、施錠主軸４引出し位置から所定角度回した解錠位置に保持するために、円盤型バネ座金などのクリック機構２３が挿入されている。
【００１６】
錠前ユニット５は操作ハンドル３の先端部に埋込み固着されており、ロータ６を錠本体に錠止する内部錠機構としては、公知のディスクタンブラ錠機構が使用されている。ロータ６の後端面には回転中心から偏心した位置に駆動用カム突起２４が突設されている。板状の止め金部材８にはその横幅方向に受動用溝孔２５が形成されており、ロータ６を回したとき、前記カム突起２４が溝孔２５の内側面を押すことによって、止め金部材８が進退する。止め金部材８は操作ハンドル３に形成された上下方向のガイド溝２６に挿入されている。
【００１７】
ハウジング２の内側壁に固着具４２によって固着され、操作ハンドル３の収容空間の背面側に配置されている内側ケース２７には、厚板状の受金部材７が上下方向に摺動可能に収容されている。内側ケース２７の受金部材７と向き合う背面板部２８には、検知スイッチ１５がボルト２９とナット３０によって締め付け固着されている。この背面板部２８と受金部材７の間には板状の仲介部材１６が上下方向に摺動可能に挿入されており、仲介部材１６の前面側に形成した連動突起３１は、受金部材７の背面側の牽引突起３２に係合している。
【００１８】
ソレノイド１２に解錠信号が供給されてプランジャー１４がソレノイド本体側に吸引されたとき、仲介部材１６を前記牽引突起３２によって牽引され、受金部材７と一緒に退避位置へと上方移動する。そのため、操作ハンドル３がハウジング２から引出されるとき、仲介部材１６が止め金部材８に干渉することがない。
また、操作ハンドル３の押し戻しの際にソレノイド１２が通電されていれば、仲介部材１６が止め金部材８に干渉することがない。
【００１９】
受金部材７の上端部には横方向の割溝部３３と、該割溝部３３にＴ字状に交差する縦溝部３４が形成されている。ソレノイド１２のプランジャ１４の下端部には、前記割溝部３３に嵌め込まれる大径軸部１４ａが形成されており、大径軸部１４ａの根元部の中径軸部１４ｂは前記縦溝部３４に嵌め込まれている。この嵌め込みによって受金部材７はプランジャ１４の吸引及び押出し動作に的確に連動するように連結されている。
【００２０】
検知スイッチ１５はマイクロスイッチによって構成されており、そのリード線３５は、ソレノイド１２のリード線と同様にハウジング２の外部に導かれている。前記内側ケース２７の前面上部には、発光ダイオードなどの表示手段３６が装備されており、操作ハンドル３の対応箇所には透明プラスチックの表示窓３７が設けられている。
表示手段３６は、検知スイッチ１５のアクチュエータ１５ａが仲介部材１６によって押し上げられているとき、点灯等するように回路構成されており、操作ハンドル３が引き出し不能に拘束されていることを表示する。
【００２１】
操作ハンドル３の背面側には、内部において屈曲した受孔３８が形成されている。前記内側ケース２７の前面下部には、操作ハンドル３をハウジング２に収容したとき、前記受孔３８に弾性係合する折り曲げ指状の係止突起３９が形成されており、操作ハンドル３は所定の収納位置に更に安定に保持される。
操作ハンドル３の先端部はハウジング２の下端部より多少突き出ており、指掛け部４０となっている。
【００２２】
【発明の効果】
以上のように請求項１の発明の引出し回転操作型扉用ロックハンドル装置では、ハウジング２にソレノイド１２を装着し、ハウジング２に固着され、操作ハンドル３の収容空間の背面側に配置されている内側ケース２７に受金部材７を摺動可能に収容し、受金部材７に掛止め部１３を形成し、ソレノイド１２のプランジャー１４に受金部材７を連結し、解錠信号としての所定電流をソレノイド１２に流すことによって、受金部材７の掛止め部１３と止め金部材８との係合を解除できるため、機器ボックスの管理者は機器ボックスの設置場所に自ら赴いて鍵１０で錠前ユニット５を解錠操作する必要なしに、遠隔操作によって特定の１個または複数個の機器ボックスを開扉可能状態にセットすることができ、機器ボックスの開扉管理を１箇所で集中して行なうことができる。
【００２３】
また、内側ケース２７の受金部材７と向き合う背面板部２８に検知スイッチ１５を固着し、背面板部２８と受金部材７の間に仲介部材１６を摺動可能に収容し、仲介部材１６の前面側に連動突起３１を形成し、受金部材７の背面側に牽引突起３２を形成し、解錠信号によりプランジャー１４をソレノイド本体側に吸引したとき、仲介部材１６が受金部材７により牽引される位置関係に牽引突起３２と連動突起３１を配置してあり、ソレノイド１２それ自体やソレノイド１２の通電系統に故障が発生した非常時には、錠前ユニット５のロータ６に鍵１０を挿入して止め金部材８を引き戻し操作することによって、止め金部材８と受金部材７との係合を解除できるため、機器ボックスの開扉や保守点検に支障を招くことがないとともに、止め金部材８が受金部材７から離脱する位置に来たとき、重力による付勢または検知スイッチ１５の内蔵バネによる付勢によって、連動突起３１が受金部材７の牽引突起３２に係合する位置まで仲介部材１６を検知スイッチ１５から離反させて、検知スイッチ１５を作動させるため、鍵１０の挿入回転による解錠を的確に検知して、所要の表示パネルに逐次表示したり、手動解錠の実行時刻などを記録管理等することができる。
【００２４】
請求項２の発明では、ハウジング２に操作ハンドル３を押し込み操作するとき、受金部材８が退避位置に移動させるカム面部１７を受金部材７または止め金部材８に形成してあるため、操作ハンドル３の引出し操作後にソレノイド１２への通電が遮断されていても、止め金部材８に押されて受金部材７が一旦退避摺動した後、止め金部材８と受金部材７が自動的に再係合することになる。このように手動解錠しても、復帰動作においてはオートロック機構となっているので、鍵のかけ忘れがなく、施錠確認のために管理者が機器ボックスの設置場所に赴く必要がない。
また、操作ハンドル３の背面側の前記屈曲受孔３８に内側ケース２７の前面下部の折り曲げ指状の係止突起３９が係合するため、操作ハンドル３は所定の収納位置に更に安定に保持される。
【図面の簡単な説明】
【図１】本発明の一実施例に係る引出し回転操作型扉用ロックハンドル装置の正面図であり、扉は閉鎖施錠状態にある。
【図２】図１の扉用ロックハンドル装置の左側面図である。
【図３】図１の扉用ロックハンドル装置の中央縦断面図である。
【図４】図１の扉用ロックハンドル装置の中央縦断面図であり、ソレノイドへの通電によって止め金部材と受金部材の係合を解除したときの状態を示している。
【図５】図１の扉用ロックハンドル装置の中央縦断面図であり、鍵の挿入回転によって止め金部材と受金部材の係合を解除したときの状態を示している。
【図６】図１の扉用ロックハンドル装置の中央縦断面図であり、図５の状態から操作ハンドルをハウジングから引出した状態を示している。
【符号の説明】
１  扉
２  ハウジング
３  操作ハンドル
４  施錠主軸
５  錠前ユニット
６  ロータ
７  受金部材
８  止め金部材
９  鍵孔
１０  鍵
１１  固定枠体
１２  ソレノイド
１３  掛け止め部
１４  プランジャー
１５  検知スイッチ
１６  仲介部材
【図１】
0003544201.tif 000002
【図２】
0003544201.tif 000003
【図３】
0003544201.tif 000004
【図４】
0003544201.tif 000005
【図５】
0003544201.tif 000006
【図６】
0003544201.tif 000007